【手続補正書】
【提出日】平成17年6月16日(2005.6.16)
【手続補正１】
【補正対象書類名】特許請求の範囲
【補正対象項目名】全文
【補正方法】変更
【補正の内容】
【特許請求の範囲】
【請求項１】
特定地域の地図、オルソフォト画像をラスターデータで保存し、これらのラスターデータに砂防関連情報に基づく注意エリアを重ね表示させる一方、前記地図、オルソフォト画像を薄く表示させる砂防関連情報の閲覧用のプログラムを記憶した記憶媒体であって、
コンピュータを、
緯度経度を平面直角座標で示した前記特定地域の地図情報をラスターデータで示し、このラスターデータの地図情報を、該地図情報の尺度以下の第１の尺度で投射した第１の地図データを第１のメモリに記憶させておく手段、
前記第１の地図データの内で、前記オルソフォト画像が存在する所定地区の地図を前記オルソフォト画像の解像度に対応する第２の尺度（第１の尺度＞第２の尺度）で投射した第２の地図データを、前記ラスターデータの形式で前記所定地区にリンク付けして第２のメモリに記憶させておく手段、
前記所定地区の航空写真を、前記第２の尺度に対応する前記解像度のオルソフォト画像に変換し、これを前記ラスターデータの形式で前記第２の地図データにリンク付けして第３のメモリに記憶しておく手段、
前記砂防関連情報は、土砂災害特別警戒区域、土砂災害警戒区域、土石流氾濫想定区域、土石流危険渓流区域、崖崩れ危険区域、地滑り危険区域であり、
これらの区域の輪郭の座標データを、前記第２の地図データの直角座標系で定義し、これに区域の種類に応じた色濃度を割り付け、これを前記注意エリアのデータとして第４のメモリに記憶しておく手段、
予め記憶されている前記各地図、オルソフォト画像の色濃度を変更させるためのスケールを有する操作ツールボックスを表示し、前記スケールのバーの操作位置を知らせる手段、
前記第１のメモリから第１の地図データを読み出し、これを第１の地図として画面に表示させ、該第１の地図上で、位置の指定が発生したとき、前記第２のメモリの前記第２の尺度の前記第２の地図データに対して一定の大きさのウインドウをかけて読み出し、これを第２の地図として前記第１の地図上に表示する形式で前記画面に出力する手段、
前記第２の地図上で、前記オルソフォト画像の表示指定が入力したとき、前記画面に前記第２の地図が表示されているとき、前記第３のメモリのオルソフォト画像に前記ウインドウをかけて読み出して前記第２の地図上に表示する形式で出力する手段、
前記ウインドウで読み出された前記第２の地図又はオルソフォト画像が出力されたとき、前記スケールのバーの位置の濃度値を求め、この色濃度に応じて第１の地図、第２の地図又はオルソフォト画像の色濃度を変更して前記画面に出力する手段、
前記画面に前記土砂災害特別警戒区域、土砂災害警戒区域を表示させるとき、該区域のの輪郭の一定範囲の画素の濃度を薄く表示させる手段
として機能させるための砂防関連情報の閲覧用のプログラムを記憶した記憶媒体。
【請求項２】
前記コンピュータは、
前記第４のメモリから前記注意エリアの前記座標データを入力し、この情報の色濃度を予め設定されている３０％〜８０％の色濃度に変更して前記ウンドウで読み込まれた前記オルソフォト画像上に重ね表示させる形式で前記画面に表示する手段、
として機能させるための請求項１記載の砂防関連情報の閲覧用のプログラムを記憶した記憶媒体。
【請求項３】
前記第１の地図の第１の尺度は３万分１で、前記第２の地図の第２の尺度は、１万分の１であり、
前記コンピュータは、
前記第２のメモリの前記第２の地図データの読み出しは、
前記画面の第１の地図上で、位置指定があったとき、前記第１の尺度を読み込み、該読み込んだ尺度に基づく平面直角座標系に、前記指定位置のピクセル座標を変換した第１の座標値を出力する手段と、
前記第２の地図の大きさ以下の範囲にされ、該範囲の第２の地図データのラスターデータを抽出する前記ウインドウと、
を有し、
前記第１の座標値を読み、該第１の座標値を前記第２の地図データに定め、該定めた位置に前記ウインドウの中心を移動させ、該ウインドウの前記第２の地図データを読み出して前記画面に表示させる手段と
で実行することを特徴とする請求項１又は２記載の砂防関連情報の閲覧用のプログラムを記憶した記憶媒体。
【請求項４】
前記コンピュータは、
前記第１の地図データの読み出しは、
前記特定地域を含む大地図領域を前記第１の尺度以上の一定尺度（一定尺度＞第１の尺度）のラスターデータで保存して、この大地図を画面に表示し、該大地図上において前記特定地域が指定されたときに、前記第１の地図データを読み出すことを特徴とする請求項１、２又は３記載のいずれかに記載の砂防関連情報の閲覧用のプログラムを記憶した記憶媒体。
【請求項５】
前記オルソフォト画像の解像度は前記第２の尺度に対応した１万分の１の解像度であり、
前記コンピュータは、
前記オルソフォト画像の読み出しは、
前記第１の座標値を読み、該第１の座標値を前記第３のメモリのオルソフォト画像の領域に定め、該定めた位置に前記ウインドウの中心を移動させる手段によって実行することを特徴とする請求項１、２、３又は４記載のいずれかに記載の砂防関連情報の閲覧用のプログラムを記憶した記憶媒体。
【請求項６】
前記操作ツールボックスは、前記スケールを間にして、前記第２の地図、オルソフォト画像を表示させるためのボタンを備えさていることを特徴とする請求項１記載の砂防関連情報の閲覧用のプログラムを記憶した記憶媒体。
【請求項７】
特定地域の地図、オルソフォト画像をラスターデータで保存し、これらのラスターデータに砂防関連情報に基づく注意エリアを重ね表示させる一方、前記地図、オルソフォト画像を薄く表示部に表示させる砂防関連情報閲覧用システムであって、
緯度経度を平面直角座標で示した前記特定地域の地図情報をラスターデータで示し、このラスターデータの地図情報を、該地図情報の尺度以下の第１の尺度で投射した第１の地図データを記憶した第１のメモリと、
前記第１の地図データの内で、前記オルソフォト画像が存在する所定地区の地図を前記オルソフォト画像の解像度に対応する第２の尺度（第１の尺度＞第２の尺度）で投射した第２の地図データを、前記ラスターデータの形式で前記所定地区にリンク付けして記憶した第２のメモリと、
前記所定地区の航空写真を前記第２の尺度に対応する前記解像度に基づくオルソフォト画像に変換し、これを前記ラスターデータの形式で前記第２の地図データにリンク付けして保存した第３のメモリと、
前記砂防関連情報は、土砂災害特別警戒区域、土砂災害警戒区域、土石流氾濫想定区域、土石流危険渓流区域、崖崩れ危険区域、地滑り危険区域であり、
これらの区域の座標データを前記第２の地図データの直角座標系で定義し、かつ区域の種類に応じた色濃度を割り付け、これを前記注意エリアのデータとして記憶した第４のメモリと、
予め記憶されている前記各地図、オルソフォト画像の色濃度を変更させるためのスケールを有する操作ツールボックスを表示し、前記スケールのバーの操作位置を知らせる手段と、
前記第１のメモリから第１の地図データを読み出し、これを第１の地図として画面に表示させ、該第１の地図上で、位置の指定が発生したとき、前記第２のメモリの前記第２の尺度の前記第２の地図データに対して一定の大きさのウインドウをかけてを読み出し、これを第２の地図として前記第１の地図上に表示する形式で前記画面に出力する手段と、
前記第２の地図上で、前記オルソフォト画像の表示指定が入力したとき、前記画面に前記第２の地図が表示されているとき、前記第３のメモリのオルソフォト画像に前記ウインドウをかけて読み出して前記第２の地図上に表示する形式で出力する手段と、
前記ウインドウで読み出された第２の地図又はオルソフォト画像が出力されたとき、前記スケールのバーの位置の濃度値を求め、この色濃度に応じて第１の地図、第２の地図又はオルソフォト画像を変更して前記画面に出力する手段と
を有することを特徴とする砂防関連情報閲覧用システム。
【請求項８】
前記第４のメモリから前記注意エリアの前記座標データを入力し、この情報の色濃度を予め設定されている３０％〜８０％の色濃度に変更して前記ウインドウで読み込まれた前記オルソフォト画像上に重ね表示させる形式で前記画面に表示させる手段と、
とを有することを特徴とする請求項７記載の砂防関連情報閲覧用システム。
【請求項９】
前記第１の地図の第１の尺度は、３万分１で、前記第２の地図の第２の尺度は、１万分の１であり、
前記第２のメモリの前記第２の地図データの読み出しは、
前記画面の第１の地図上で、位置指定があったとき、前記第１の尺度を読み込み、該読み込んだ尺度に基づく平面直角座標系に、前記指定位置のピクセル座標を変換した第１の座標値を出力する手段と、
前記第２の地図の大きさ以下の範囲にされ、該範囲の第２の地図データのラスターデータを前記抽出するウインドウと、
前記第１の座標値を読み、該第１の座標値を前記第２の地図データに定め、該定めた位置に前記ウインドウの中心を移動させる手段と
を有することを特徴とする請求項７又は８記載の砂防関連情報閲覧用システム。
【請求項１０】
前記第１の地図データの読み出しは、
前記特定地域を含む大地図領域を前記第１の尺度以上の一定尺度（一定尺度＞第１の尺度）のラスターデータで保存して、この大地図を画面に表示し、該大地図上において前記特定地域が指定されたときに、前記第１の地図データを読み出すことを特徴とする請求項７、８又は９記載のいずれかに記載の砂防関連情報閲覧用システム。
【請求項１１】
前記オルソフォト画像の読み出しは、
前記第１の座標値を読み、該第１の座標値を前記第３のメモリのオルソフォト画像の領域に定め、該定めた位置に前記ウインドウの中心を移動させる手段によって実行することを特徴とする請求項７、８、９又は１０記載のいずれかに記載の砂防関連情報閲覧用システム。
【手続補正２】
【補正対象書類名】明細書
【補正対象項目名】００１０
【補正方法】変更
【補正の内容】
【００１０】
本発明は、特定地域の地図、オルソフォト画像をラスターデータで保存し、これらのラスターデータに砂防関連情報に基づく注意エリアを重ね表示させる一方、前記地図、オルソフォト画像を薄く表示させる砂防関連情報の閲覧用のプログラムを記憶した記憶媒体である。
【手続補正３】
【補正対象書類名】明細書
【補正対象項目名】００１１
【補正方法】変更
【補正の内容】
【００１１】
コンピュータを、
緯度経度を平面直角座標で示した前記特定地域の地図情報をラスターデータで示し、このラスターデータの地図情報を、該地図情報の尺度以下の第１の尺度で投射した第１の地図データを第１のメモリに記憶させておく手段、
前記第１の地図データの内で、前記オルソフォト画像が存在する所定地区の地図を前記オルソフォト画像の解像度に対応する第２の尺度（第１の尺度＞第２の尺度）で投射した第２の地図データを、前記ラスターデータの形式で前記所定地区にリンク付けして第２のメモリに記憶させておく手段、
前記所定地区の航空写真を、前記第２の尺度に対応する前記解像度のオルソフォト画像に変換し、これを前記ラスターデータの形式で前記第２の地図データにリンク付けして第３のメモリに記憶しておく手段、
前記砂防関連情報は、土砂災害特別警戒区域、土砂災害警戒区域、土石流氾濫想定区域、土石流危険渓流区域、崖崩れ危険区域、地滑り危険区域であり、
これらの区域の輪郭の座標データを、前記第２の地図データの直角座標系で定義し、これに区域の種類に応じた色濃度を割り付け、これを前記注意エリアのデータとして第４のメモリに記憶しておく手段、
予め記憶されている前記各地図、オルソフォト画像の色濃度を変更させるためのスケールを有する操作ツールボックスを表示し、前記スケールのバーの操作位置を知らせる手段、
前記第１のメモリから第１の地図データを読み出し、これを第１の地図として画面に表示させ、該第１の地図上で、位置の指定が発生したとき、前記第２のメモリの前記第２の尺度の前記第２の地図データに対して一定の大きさのウインドウをかけて読み出し、これを第２の地図として前記第１の地図上に表示する形式で前記画面に出力する手段、
前記第２の地図上で、前記オルソフォト画像の表示指定が入力したとき、前記画面に前記第２の地図が表示されているとき、前記第３のメモリのオルソフォト画像に前記ウインドウをかけて読み出して前記第２の地図上に表示する形式で出力する手段、
前記ウインドウで読み出された前記第２の地図又はオルソフォト画像が出力されたとき、前記スケールのバーの位置の濃度値を求め、この色濃度に応じて第１の地図、第２の地図又はオルソフォト画像の色濃度を変更して前記画面に出力する手段、
前記画面に前記土砂災害特別警戒区域、土砂災害警戒区域を表示させるとき、該区域のの輪郭の一定範囲の画素の濃度を薄く表示させる手段
として機能させるための砂防関連情報の閲覧用のプログラムを記憶した記憶媒体である。
【手続補正４】
【補正対象書類名】明細書
【補正対象項目名】００１２
【補正方法】変更
【補正の内容】
【００１２】
また、本発明は、特定地域の地図、オルソフォト画像をラスターデータで保存し、これらのラスターデータに砂防関連情報に基づく注意エリアを重ね表示させる一方、前記地図、オルソフォト画像を薄く表示部に表示させる砂防関連情報閲覧用システムである。
緯度経度を平面直角座標で示した前記特定地域の地図情報をラスターデータで示し、このラスターデータの地図情報を、該地図情報の尺度以下の第１の尺度で投射した第１の地図データを記憶した第１のメモリと、
前記第１の地図データの内で、前記オルソフォト画像が存在する所定地区の地図を前記オルソフォト画像の解像度に対応する第２の尺度（第１の尺度＞第２の尺度）で投射した第２の地図データを、前記ラスターデータの形式で前記所定地区にリンク付けして記憶した第２のメモリと、
前記所定地区の航空写真を前記第２の尺度に対応する前記解像度に基づくオルソフォト画像に変換し、これを前記ラスターデータの形式で前記第２の地図データにリンク付けして保存した第３のメモリと、前記砂防関連情報は、土砂災害特別警戒区域、土砂災害警戒区域、土石流氾濫想定区域、土石流危険渓流区域、崖崩れ危険区域、地滑り危険区域であり、
これらの区域の座標データを前記第２の地図データの直角座標系で定義し、かつ区域の種類に応じた色濃度を割り付け、これを前記注意エリアのデータとして記憶した第４のメモリと、
予め記憶されている前記各地図、オルソフォト画像の色濃度を変更させるためのスケールを有する操作ツールボックスを表示し、前記スケールのバーの操作位置を知らせる手段と、
前記第１のメモリから第１の地図データを読み出し、これを第１の地図として画面に表示させ、該第１の地図上で、位置の指定が発生したとき、前記第２のメモリの前記第２の尺度の前記第２の地図データ（一万分の１）に対して一定の大きさのウインドウをかけてを読み出し、これを第２の地図として前記第１の地図上に表示する形式で前記画面に出力する手段と、
前記第２の地図上で、前記オルソフォト画像の表示指定が入力したとき、前記画面に前記第２の地図が表示されているとき、前記第３のメモリのオルソフォト画像に前記ウインドウをかけて読み出して前記第２の地図上に表示する形式で出力する手段と、
前記ウインドウで読み出された第２の地図又はオルソフォト画像が出力されたとき、前記スケールのバーの位置の濃度値を求め、この色濃度に応じて第１の地図、第２の地図又はオルソフォト画像を変更して前記画面に出力する手段と
を備えたことを要旨とする。